(57)【特許請求の範囲】
【請求項１】
エレベータの運転方向、かご位置および管制運転をドットマトリスク表示器又はランプで表示するエレベータ表示装置において、前記エレベータ表示装置は前記ドットマトリスク表示器又は前記ランプを被覆して表示装置内部を目隠しする表面板を有し、前記表面板は透明樹脂又はガラスに裏面全面を有色の光透過性塗料で印刷し、前記表面板は前記有色の光透過性塗料で印刷をする前に、定員、積載の表示を裏面より印刷したことを特徴とするエレベータの表示装置。
【請求項２】
前記表面板の最終工程として、紫外線硬化樹脂を裏面全面に印刷したことを特徴とする請求項１に記載のエレベータ表示装置。
【発明の詳細な説明】
【技術分野】
【０００１】
この発明は、エレベータの乗場やかご内に設けられ、エレベータを利用する利用者に情報を提供するエレベータの表示装置に関する。
【背景技術】
【０００２】
エレベータのかごおよび乗場には、運転方向、かご位置や管制運転情報を表示するインジケータが設けられている。
【０００３】
図５にはエレベータのかご内部を示してあり、このかごにはエレベータの出入口１が設けられ、この出入口１にかごドア２が開閉可能に設けられている。
【０００４】
そしてかごの側部壁面に操作盤３が設けられ、この操作盤３に行先階登録用やドア開閉用の各種の操作ボタン５が設けられ、かごの運行方向やかご位置などを表示する表面板１８を有している。また、図示しないがエレベータの乗場には入口側部壁面に操作盤が設けられ、その操作盤にかご呼び登録用などの各種の操作ボタンが設けられている。尚、かご内操作盤は入口脇の袖壁に取り付けられる場合もある。
【０００５】
従来のかご内操作盤の構成を図３に示してあり、図３（Ａ）はかご内操作盤の正面図であり、（Ｂ）はＡ−Ａ線に沿った概略断面図である。また、図４は図３にあるかご内操作盤のうち、表面板１８を構成する樹脂板を示してあり、図４（Ａ）は表面側から定員、積載および社章８を前記表面板１８に白色等の塗料で印刷した図であり、前記表面板１８の樹脂板裏面における印刷を行っていない部分を抜き窓部と称し、（Ｂ）は裏面側より抜き窓部１７を除いた部分全体に渡って，黒色等の塗料で目隠し印刷１６を施した図である。
【０００６】
図３において、フェースプレート９および１０はステンレスなどの金属であり、裏面にあるブラケット１１にナット（図示せず）にて、固定されている。表面板１８は両面接着テープによって前記ブラケット１１に貼着されている。
【０００７】
前記フェースプレート９および１０には、行き先階登録ボタン、非常呼びボタンおよび開閉ボタンなどが組み込まれ、インターホン用音抜き穴１４があいている。
【０００８】
前記インターホン用音抜き穴１４の裏面にはインターホン１３が配置されている。
【０００９】
表面板１８は一般にブルースモークやブラウンスモークなどと呼ばれる着色半透明の樹脂板が使用されている。前記表面板１８の樹脂板は、方向およびかご位置表示部７および管制運転表示部６の抜き窓部１７を除いて、裏面より黒色塗料にて印刷を行ない、内部の部品や表面板１８を固定する両面接着テープが表面側より見えないようにしている。
【００１０】
また、定員、積載および社章８は前記表面板１８表面側より白色等で印刷されている。
【００１１】
前記表面板１８の内側には、前記表面板１８の抜き窓部１７に一致するように、方向およびかご位置を表示するＬＥＤドットマトリスクディスプレイ１２が配置されている。
【００１２】
前記ＬＥＤドットマトリスクディスプレイ１２に表示された、矢印、数字および文字等は前記表面板１８の抜き窓部１７を透過して、乗客に運転方向およびかご位置を案内する。
【００１３】
同様に、前記管制運転表示部６において、『地震です  ドアが開いたら降りてください』等を表示するＬＥＤランプ（図示せず）も同様に、前記表面板１８の抜き窓部１７に一致するように配置されている。
【００１４】
前記管制運転等を表示するＬＥＤランプ前面には、表面に『地震です  ドアが開いたら降りてください』等の文字を抜いて黒色印刷をした光拡散シート（図示せず）を貼り付けてある。前記光拡散シートは乳白色の樹脂シートなどである。
【００１５】
管制運転時は前記ＬＥＤランプが点灯し、前記光拡散シートの文字部分を透過した光がさらに、前記表面板１８の抜き窓部１７を透過して、乗客に管制運転中である旨を案内する。
【先行技術文献】
【特許文献】
【００１６】
【特許文献１】特開昭６２−１８５６８７号公報
【発明の概要】
【発明が解決しようとする課題】
【００１７】
ところで、前記表面板１８はブルースモークやブラウンスモークなどの着色半透明の樹脂板を材料としているため、前記ＬＥＤドットマトリスクディスプレイ１２の矢印、数字および文字を表示するために点灯しているドット以外の消灯しているドットも、着色半透明の樹脂板で構成される前記表面板１８の抜き窓部１７を透過して、エレベータ乗客に見えてしまう。
【００１８】
また、前記管制運転表示部６についても、管制運転中で無いにもかかわらず、着色半透明の樹脂板で構成される前記表面板１８の抜き窓部１７を透過して、消灯している『地震です  ドアが開いたら降りてください』等の文字が乗客に見えてしまう。
【００１９】
消灯しているドットが見えてしまうため、意匠性が悪く、また、点灯しているドットと消灯しているドットのコントラストが低く、認識し難くなっていた。
【００２０】
同様に、消灯している『地震です  ドアが開いたら降りてください』等の文字が見えてしまうため、意匠性が悪く、また、管制運転中かどうかを判断するのに紛らわしかった。
【００２１】
さらに、前記表面板１８はブルースモークやブラウンスモークなどの着色半透明の樹脂板を材料としているため、定員、積載および社章８を裏面から印刷すると文字内容を判別することができないため、定員、積載および社章８は前記表面板１８表面側より白色等で印刷する必要があった。その結果、清掃やいたずらなど摩擦によって文字やマーク等が剥がれるといった不具合があった。
【００２２】
先行技術特開昭６２−１８５６８７号公報にいおいては操作ボタン部分ではあるが、ハーフミラーを用いて、消灯時に表示文字を見せない技術が記載されているが、ハーフミラー加工は金属蒸着などの技術を伴い高価である。また、ハーフミラーであるため、裏面から定員、積載および社章等を白色等で印刷することが困難であった。
【課題を解決するための手段】
【００２３】
エレベータの運転方向、かご位置および管制運転をドットマトリスク表示器又はランプで表示するエレベータ表示装置において、前記エレベータ表示装置は前記ドットマトリスク表示器又は前記ランプを被覆して表示装置内部を目隠しする表面板を有し、前記表面板は透明樹脂又はガラスに裏面全面を有色の光透過性塗料で印刷し、前記表面板は前記有色の光透過性塗料で印刷をする前に、定員、積載の表示を裏面より印刷する。
また、前記表面板の最終工程として、紫外線硬化樹脂を裏面全面に印刷する。
【００２４】
前記光透過性塗料は有色塗料に透明な粒子を一定量混合して、消灯時は光を通さず、点灯時は光を透過する効果を持った塗料であり、公知の技術である。
【００２５】
前記透明な粒子は例えばシリカ等の粒子である。
【発明の効果】
【００２６】
この発明は、１枚の透明樹脂板により、定員、積載および社章の印刷を清掃やいたずら等により剥がれにくくし、方向およびかご位置表示部や管制運転表示部のドットマトリスクディスプレイの消灯したドットや管制運転表示文字などを消灯時に見えない構造として、安価で意匠性の向上を図ったエレベータ表示装置を提供するものである。
【図面の簡単な説明】
【００２７】
【図１】この発明の実施形態に係るエレベータ用かご操作盤を示し、（Ａ）はその正面図、（Ｂ）はＡ−Ａ断面図である。
【図２】この発明の実施形態に係る表面板を示し、（Ａ）は第１の印刷手順を行った表面板の裏面図であり、（Ｂ）は第２の印刷手順を行った表面板の裏面図である。
【図３】従来の実施形態に係るエレベータ用かご操作盤を示し、（Ａ）はその正面図、（Ｂ）はＢ−Ｂ断面図である。
【図４】従来の実施形態に係る表面板を示し、（Ａ）は第１の印刷手順を行った表面板の正面図であり、（Ｂ）は第２の印刷手順を行った表面板の裏面図である。
【図５】エレベータのかごにおける出入口部分を示す正面図である。
【図６】この発明の実施形態に係るエレベータ用乗場操作盤を示す正面図である。
【発明を実施するための形態】
【００２８】
この発明の第１の実施形態について図１および図２を参照して説明する。図１（Ａ）はこの発明による実施の形態におけるエレベータ用かご操作盤の構成を示す正面図であり、（Ｂ）はＢ−Ｂ線に沿った概略断面図である。図２は運転方向、かご位置および管制運転等を表示するドットマトリスク表示器又はランプを覆う、透明樹脂またはガラスで構成された表面板の裏面を示す図である。尚、図２（Ａ）はこの発明による実施の形態における、裏面から定員、積載および社章を反転印刷した第１の手順を示す図であり、（Ｂ）は裏面全面に渡り有色の光透過性塗料で印刷した第２の手順をを示す図である。尚、図３および図４に示す従来の構成と対応する部分については、同一の符号を付して重複する説明を省略する。
【００２９】
図１は、この発明に係るエレベータ用かご操作盤についての一実施形態を示すものである。
図１における実施形態と前記背景技術にて説明した図３の従来技術と相違する点は表面板４のみである。
【００３０】
前記表面板４の材料は透明樹脂板又はガラスであり、図２（Ａ）に示すように、第１手順として裏面から定員、積載および社章８を白色等で反転印刷し、図２（Ｂ）に示すように、第２手順として方向およびかご位置表示部７および管制運転表示部６に関係なく、裏面全体に渡って黒色等有色の光透過性塗料で、印刷１５を行う。
【００３１】
前記表面板４の裏面全体に渡って黒色等有色の光透過性塗料で印刷されているため、表面から見た場合、前記定員、積載および社章８を除いて、全体が黒色等有色に見え、方向およびかご位置表示を行っている前記ＬＥＤドットディスプレイ１２の内、点灯しているドットのみが、黒色等有色である光透過性塗料の印刷から浮かび上がって表示される。
【００３２】
また、前記管制運転表示部６についても、通常運転時は黒色等有色の印刷しか見えないが、地震の発生などにより、管制運転が行われる場合は、『地震です  ドアが開いたら降りてください』などのメッセージのみが、黒色等有色である光透過性塗料の印刷から浮かび上がって表示される。
【００３３】
前記定員、積載および社章８は透明樹脂板又はガラスの裏面より印刷されているため、表面板４越しに、前記定員、積載および社章８を見ても、文字内容をはっきりと見ることができ、いたずらや清掃による摩擦などによって、文字やマーク等が剥がれるといった不具合も防ぐことができる。
【００３４】
この発明の第２の実施形態について図６を参照して説明する。図６はこの発明による実施の形態におけるエレベータ用乗場操作盤の構成を示す正面図である。
【００３５】
図６は、この発明に係るエレベータ用乗場操作盤についての一実施形態を示すものである。
【００３６】
表面板２１は第１の実施形態における表面板４と同様に材料は透明樹脂板又はガラスであり、裏面全面に渡り黒色等有色の光透過性塗料で印刷してある。
【００３７】
前記表面板２１の裏面全体に渡って黒色等有色の光透過性塗料で印刷されているため、表面から見た場合、全体が黒色等有色に見え、方向およびかご位置表示を行っているＬＥＤドットディスプレイ（図示せず）の内、点灯しているドットのみが、黒色等有色である光透過性塗料の印刷から浮かび上がって表示される。
【００３８】
また、管制運転表示部２３についても、通常運転時は黒色等有色の印刷しか見えないが、地震の発生などにより、管制運転が行われる場合は、『地震』などのメッセージのみが、黒色等有色である光透過性塗料の印刷から浮かび上がって表示される。
【００３９】
前記定員、積載および社章８の代わりに車椅子マークであっても良い。
【００４０】
また、前記光透過性塗料で印刷された印刷面の傷防止のため、表面板４および表面板２１の裏面全面に渡って、透明な紫外線硬化樹脂による印刷を行っても良い。
【符号の説明】
【００４１】
１                出入口
２                かごドア
３                エレベータ用かご操作盤
４、１８、２１    表面板
５、２０          各種操作ボタン
６、２３          管制運転表示部
７、２２          方向およびかご位置表示部
８                定員、積載および社章
９、１０          フェースプレート
１１              ブラケット
１２              ＬＥＤドットマトリスクディスプレイ
１３              インターホン
１４              インターホン用音抜き穴
１５、１６        印刷
１７              抜き窓部
１９              エレベータ用乗場操作盤
【図１】
0005609400.tif 000002
【図２】
0005609400.tif 000003
【図３】
0005609400.tif 000004
【図４】
0005609400.tif 000005
【図５】
0005609400.tif 000006
【図６】
0005609400.tif 000007